(57)【要約】【課題】 この発明は、水洗いの際にざるの代用として利用でき、かつそのまま食卓に出すという使用に対応した包装用容器を得ることを課題とするものである。【解決手段】  この発明の包装用容器は、物品収納用の凹部を備えた容器本体の周壁に水抜き穴を複数設け、凹部の底壁上面は中央部から周縁部に向けて下降傾斜面として構成する。物品収納用の凹部の底壁上面と蓋体の天壁上面（容器本体に蓋を被せたときにおける上面）は共に断面凸弧状とし、容器本体の底壁と蓋体の上面とを重ねたときに互いに嵌りあうようにすることが好ましい。【選択図】  図４
2014114032.tif 000002
【特許請求の範囲】
【請求項１】
物品収納用の凹部を備えた容器本体の周壁に水抜き穴を複数設け、凹部の底壁上面は中央部から周縁部に向けて下降傾斜面とした包装用容器。
【請求項２】
包装用容器は、物品収納用の凹部を備えた容器本体と、蓋体とで構成し、蓋体に水抜き穴を複数設けた、請求項１記載の包装用容器。
【請求項３】
物品収納用の凹部の底壁と蓋体の天壁上面は共に断面凸弧状とし、容器本体の底壁と蓋体の天壁とを重ねたときに互いに嵌りあうようにした、請求項２記載の包装用容器。
【請求項４】
包装用容器の本体と蓋体とは連設され、連設部に切断用のミシン目が設けられた、請求項２又は３記載の包装用容器。
【請求項５】
物品収納用の凹部の周壁に段部を設け、この段部の上下に亘り縦長の水抜き穴を設けた、請求項１ないし４の何れかに記載の包装用容器。
【発明の詳細な説明】
【技術分野】
【０００１】
この発明は、ミニトマトやイチゴなど、主として小型の果実を包装するための包装用容器に関するものである。
【背景技術】
【０００２】
小型の果実を包装するために、プラスチックシートを成型した包装用容器が多用されている。この包装用容器は包装のみを目的としたものであり、商品を購入した生活者は包装された果実などをざるで洗い、食器に盛りつけて食することを予定している。
ところで、近年では調理器具や食器を使うことを煩わしく感じる生活者が増加しており、包装用容器から取り出さずに果実などを洗浄し、そのまま食卓に置き、食器を使用することなく食することへの要求が高まっている。
しかしながら、この種の包装用容器において、収納物の鮮度を保持する目的で容器の適宜の一に空気流通用の孔を設けたものは広く使用されているが、水洗いにおいてざるの代用として利用することや、そのまま食卓に出すことに配慮したものは存在しない。
【０００３】
特開２００３−１９１９３７号公報には、食品用容器の周壁下部に水抜き孔を設けること、及び水抜き孔に水分を導く溝を設けることが記載されているが、底面は平坦であり、かつ水抜き孔は容器本体の周壁下端部に設けられている。
この特許文献に開示された発明は、鮮度保持のみを目的としたものであって、そのまま食卓に置くという使用方法に適したものではない。
【特許文献１】特開２００３−１９１９３７号公報
【発明の開示】
【発明が解決しようとする課題】
【０００４】
この発明は、水洗いの際にざるの代用として利用でき、かつそのまま食卓に出すという使用に対応した包装用容器を得ることを課題とするものである。
【課題を解決するための手段】
【０００５】
この発明の包装用容器は、物品収納用の凹部を備えた容器本体の周壁に水抜き穴を複数設け、凹部の底壁上面は中央部から周縁部に向けて下降傾斜面として構成する。水抜き孔の形状に限定はない。
請求項２の発明は、包装用容器を、請求項１記載の構成とした容器本体と蓋体とで構成し、蓋体に水抜き穴を複数設けたもの、請求項３の発明は、物品収納用の凹部の底壁上面と蓋体の天壁上面（容器本体に蓋を被せたときにおける上面）は共に断面凸弧状とし、容器本体の底壁と蓋体の上面とを重ねたときに互いに嵌りあうようにしたもの、請求項４の発明は、包装用容器の本体と蓋体とを連設し、連設部に切断用のミシン目を設けたものである。
上記各発明において、凹部の水抜き孔は、物品収納用の凹部の周壁に段部を設け、この段部の上下に亘り縦長の水抜き穴を設ける構造とすることが製造上好ましい。また、立てリブの谷間に設けることが好ましい。
【０００６】
容器の素材、大きさ、形状は収納物との関係などを考慮して適宜選択する。また、水抜き穴の具体的な形状、大きさ、位置、数も適宜定めるが、内容物を傷つけない大きさ形状としつつ、可及的に広い開口部を得ることが好ましい。
容器本体底面の態様は、断面円弧状の他、四角錐状その他の多角錐状など適宜選択することができる。要は底面の水が周縁部に流れる構成であればよい。
包装用容器を、物品収納用の凹部を備えた本体と蓋体とで構成したときは、蓋体にも水抜き穴を複数設けることが好ましい。なお、蓋体は本体と別体のもの、連設したものいずれでもよい。
【発明の効果】
【０００７】
この発明によれば、凹部の周壁に水抜き穴を設けてあるので、包装用容器をざるの代用として使用して内容物を水洗いし、水抜きを行うことができる。また、流通時にはこれら水抜き穴が空気の通過孔となるので、鮮度保持にも寄与する。
前記に加えて、底面を中央部から周縁に向けた下降傾斜面としたので、果実などに付着している水は周縁部にたまる。その結果、下方の収納物が水に浸されることが防止される。
以上により、この発明の包装用容器は、水洗い時にざるの代用として利用でき、かつそのまま食卓に置くことができる。
更に、請求項２の発明においては、容器本体と組み合わせた蓋にも水抜き穴を設けたので、水洗いの後に蓋を閉め、蓋からも排水して効率的に水抜きをおこなうことができる。請求項３の発明においては容器本体と蓋体とが互いに嵌りあうので、安定した状態で積み重ねることができると共に、蓋体をトレーとして使用することができる。
【図面の簡単な説明】
【０００８】
【図１】この発明実施例の蓋を開けた状態の平面図
【図２】同じくＡ−Ａ断面図
【図３】同じくＢ−Ｂ断面図
【図４】容器本体と蓋体とを重ねた状態の断面図
【発明を実施するための形態】
【０００９】
以下この発明の実施例を説明する。
包装用容器１は合成樹脂シート製であって、平面視方形とした収納用の凹部を備えた本体２と蓋体３とで構成してあり、本体２と蓋体３とは開口部のフランジを介して連設してあり、連設部にはミシン目４が設けてある。
【００１０】
本体２は底壁５と周壁６を備えている。
前記底壁５は断面凸弧状の隆起部７を備え、中央部から周縁部に向けて下降傾斜をなしており、周縁部に環状の溝８が形成されている。前記溝８の幅は、収納物Ａが溝に嵌らない（収納物が溝の底に接触しない）程度の大きさ、形状としてある。
前記本体２の周壁６は、上方に向けて開いた傾斜をなしており、下部に外向きの段部９を有し、この段部９よりも上方に縦長の水抜き穴１０が複数設けてある。
隣接する水抜き穴１０の間には内向きのリブ１１が設けてある。隣接するリブ１１の間隔及び大きさは、収納物が水抜き穴１０に接触しない程度としてある。
【００１１】
前記蓋体３の周壁にも、縦長の水抜き穴１２が複数設けてある。水抜き穴１２は蓋体３の天壁３ａに設けてもよい。また、蓋体３の天壁３ａの上面（蓋を閉じたときの上面）は断面凸弧状部１３を有しており、この凸弧状部１３は前記容器本体の底壁５の隆起部７と嵌りあう形状、大きさとしてある。
【００１２】
以下この包装用容器の使用について、ミニトマトの包装に使用した場合を例に説明する。
ミニトマトの生産者は、従来の容器と同様に包装用容器１にミニトマトＡを収納し、包装して出荷する。包装状態において、本体２及び蓋体３の水抜き穴１０、１２は空気の流通孔として機能する。
また、底壁５に溝８が設けてあり、この溝８の幅は収納物が溝の底に接触しない程度のものとしてあるので、底壁周縁部に位置するミニトマトＡは底壁から浮いた状態となる。従来、周縁部に位置するミニトマトは底壁と集壁とに挟まれて押されるために傷みやすかったが、この容器においては押されにくく、傷みにくい。
更に、容器本体３の隆起部７で形成される凹部と蓋体の凸弧状部１３とが嵌りあうので、複数の容器を安定した状態で積み重ねることができる。
【００１３】
この容器に包装されたミニトマトを購入した生活者は、蓋３を開けてミニトマトを本体２に入れたままで水洗いする。次いで蓋３を閉じて水切りを行う。蓋３を閉じて水切りを行うことにより、一部のミニトマトを本体から逃がしてしまうおそれがない。また、蓋体３にも水切り孔１２が設けてあるので、蓋体を閉じた状態でも効率よく水切りを行うことができる。
前記周壁６には内向きのリブ１１を設けてミニトマトが水抜き穴１０には接触しないようにしてあるので、ミニトマトの表面が水抜き孔の縁に接触して傷つくおそれもない。
【００１４】
水切り後、前記ミシン目４に沿って蓋体３を引き裂き、本体２の外面に付着した水を拭いた後に食卓に置く。このとき、蓋体３の凸弧状部１３を本体２の底壁の凹部に嵌め合わせて、蓋体とトレーとして安定した状態で容器本体３を載置することができる。
水切り後においてもミニトマトには水分が残っており、この水分は徐々に下方へ移動する。下方へ移動した水は、一部は直接前記溝８に至り、一部は前記隆起部７に至る。隆起部７の上面は溝に向けた下降傾斜であるから、隆起部上面の水は徐々に溝８に至る。
このようにして、ミニトマトに付着した水は溝８に貯まる。ここで、溝８の大きさ、形状はミニトマトが溝底に接触しない程度としてあるので、ミニトマトが溝に貯まった水にひたされることはない。
また、水抜き穴１０の下端を底壁上面よりもやや上方としておけば、溝に貯まった水が水抜き穴１０から流れ出ることもない。また、水抜き孔の下端が底壁に接している場合でも、蓋体３をトレーとすることにより、食卓が濡れることはない。
【産業上の利用可能性】
【００１５】
この発明は、果実の流通時のみならず、果実を食する際に大きな利便を提供するものであり、産業上利用可能性を有するものである。
【符号の説明】
【００１６】
１      容器
２      容器本体
３      蓋体
４      ミシン目
５      底壁
６      周壁
７      隆起部
８      溝
９      段部
１０    水抜き孔
１１    リブ
１２    水抜き孔
１３    凸弧状部
【図１】
2014114032.tif 000003
【図２】
2014114032.tif 000004
【図３】
2014114032.tif 000005
【図４】
2014114032.tif 000006